(57)【要約】【課題】画像データに基づく画像における処理を施すべき対象領域に対してのみ所定処理を行うことが出来ると共に、前記所定処理後においても、前記対象領域以外の非対象領域に係る画像データが消失されることなく、前記所定処理後における前記対象領域に係る処理済画像及び非対象領域に係る非対象画像を共に表示し、前記処理済画像及び非対象画像を対比し、及び処理済画像及び非対象画像を共に記録シートへの形成等することが可能な画像処理装置、画像形成装置及びコンピュータプログラムを提供する。【解決手段】画像データに対して所定処理を行う場合、前記画像データに基づく画像において前記所定処理を施すべき対象領域７を受け付け、対象領域に対してのみ前記所定処理を行い、前記所定処理後における前記処理済画像の位置を変更して、前記非対象画像との合成を行う。【選択図】図３
2009278373.tif 000002
【特許請求の範囲】
【請求項１】
画像データに対して処理を施す画像処理装置において、
前記画像データに基づく画像における処理を施すべき対象領域を受け付ける領域受付手段と、
前記処理後の前記対象領域に係る処理済画像を位置変更して、前記対象領域以外の非対象領域に係る非対象画像との合成を行う合成手段と
を備えていることを特徴とする画像処理装置。
【請求項２】
前記画像が表示される表示部を備え、
該表示部に表示される前記画像に基づいて、前記領域受付手段が前記対象領域を受け付けるように構成していることを特徴とする請求項１に記載の画像処理装置。
【請求項３】
前記合成における前記処理済画像を配置すべき位置を受け付ける位置受付手段を備えていることを特徴とする請求項１に記載の画像処理装置。
【請求項４】
前記合成の場合、前記非対象画像及び前記処理済画像が重なる重複領域を抽出する抽出手段と、
抽出された重複領域に対して、前記処理済画像及び前記非対象画像の画像濃度データを所定割合で反映する処理を行う反映処理手段と
を備えていることを特徴とする請求項１に記載の画像処理装置。
【請求項５】
前記割合を受け付ける割合受付手段を備えていることを特徴とする請求項４に記載の画像処理装置。
【請求項６】
前記処理済画像における文字、図形等のオブジェクトの色を受け付ける色受付手段を備えていることを特徴とする請求項１に記載の画像処理装置。  
【請求項７】
前記対象領域に対して処理を施す処理手段と、
該処理手段が変倍処理を行う場合、変倍率を受け付ける倍率受付手段とを備えていることを特徴とする請求項１に記載の画像処理装置。
【請求項８】
請求項１から請求項７の何れか一つに記載の画像処理装置と、
該画像処理装置による合成画像に基づき、記録シートに画像形成を行う画像形成部と
を備えていることを特徴とする画像形成装置。
【請求項９】
コンピュータに、画像データに対して処理を実行させるコンピュータプログラムにおいて、
コンピュータに、前記画像データに基づく画像における処理を実行すべき対象領域を受付させる手順と、
コンピュータに、前記処理後の前記対象領域に係る処理済画像を位置変更して、前記対象領域以外の非対象領域に係る非対象画像と合成させる手順と、
コンピュータに、前記合成の場合、前記非対象画像及び前記処理済画像が重なる重複領域を抽出させる手順と、
コンピュータに、抽出された重複領域に対して、前記処理済画像及び前記非対象画像の画像濃度データを所定割合で反映する処理を実行させる手順と
を実行させることを特徴とするコンピュータプログラム。
【発明の詳細な説明】
【技術分野】
【０００１】
本発明は、画像データに対して処理を施す画像処理装置、画像形成装置及びコンピュータプログラムに関する。
【背景技術】
【０００２】
従来、コピー機能、印刷機能及びファクシミリ機能等を有するデジタル複合機のような画像処理装置又は画像形成装置においては、スキャナー（画像読取部）を介して原稿の画像データを取得し、該画像データに対して拡大又は縮小の変倍処理を施し、変倍処理後の画像データに基づいて記録用紙に画像形成を行うことにより、いわゆる変倍コピーを実行していた。
【０００３】
しかし、このような従来の画像処理装置又は画像形成装置は、ユーザが原稿の一部領域のみの変倍コピーを必要としている場合であっても、原稿の全領域を拡大する変倍処理を行うので、変倍処理を必要としない領域に対しても変倍処理、画像形成等が行われる、無駄が生じる問題があった。
【０００４】
斯かる問題の改善にあたって、特許文献１では、原稿において拡大したい対象領域を特定のマーカーで指定し、取得していた前記原稿の画像データから指定された対象領域だけを抽出して、記録用紙の大きさに合わせて拡大・縮小し、又はマーカーで指定された対象領域の大きさに適した記録用紙を自動選択して記録出力する画像形成装置が開示されている。
【特許文献１】特開２００４−２２１８９８号公報
【発明の開示】
【発明が解決しようとする課題】
【０００５】
しかしながら、特許文献１の画像形成装置は、前記マーカーで指定されていない領域、つまり前記対象領域として設定されていない非対象領域は変倍処理されず、前記非対象領域に係る画像データは消失されるといった問題を有していた。つまり、変倍処理後における対象領域に係る画像を、非対象領域に係る画像と対比し、又はこれらを共に記録用紙に形成すること等が出来なかった。
【０００６】
本発明は斯かる事情に鑑みてなされたものであり、その目的とするところは、画像データに対して所定処理を行う場合、前記画像データに基づく画像において前記所定処理を施すべき対象領域を受け付け、該対象領域に対してのみ前記所定処理を行い、前記所定処理後における前記対象領域に係る画像（処理済画像）の位置を変更して、前記対象領域以外の非対象領域に係る画像（非対象画像）との合成を行うことにより、対象領域に対してのみ所定処理を行うことが出来ると共に、前記所定処理後においても、非対象領域に係る画像データが消失されることなく、前記処理済画像及び非対象画像を共に表示し、前記処理済画像及び非対象画像を対比し、及び処理済画像及び非対象画像を共に記録シートへの形成等することが可能な画像処理装置、画像形成装置及びコンピュータプログラムを提供することにある。
【課題を解決するための手段】
【０００７】
本発明に係る画像処理装置は、画像データに対して処理を施す画像処理装置において、前記画像データに基づく画像における処理を施すべき対象領域を受け付ける領域受付手段と、前記処理後の前記対象領域に係る処理済画像を位置変更して、前記対象領域以外の非対象領域に係る非対象画像との合成を行う合成手段とを備えていることを特徴とする。
【０００８】
本発明に係る画像処理装置は、前記画像が表示される表示部を備え、該表示部に表示される前記画像に基づいて、前記領域受付手段が前記対象領域を受け付けるように構成していることを特徴とする。
【０００９】
本発明に係る画像処理装置は、前記合成における前記処理済画像を配置すべき位置を受け付ける位置受付手段を備えていることを特徴とする。
【００１０】
本発明に係る画像処理装置は、前記合成の場合、前記非対象画像及び前記処理済画像が重なる重複領域を抽出する抽出手段と、抽出された重複領域に対して、前記処理済画像及び前記非対象画像の画像濃度データを所定割合で反映する処理を行う反映処理手段とを備えていることを特徴とする。
【００１１】
本発明に係る画像処理装置は、前記割合を受け付ける割合受付手段を備えていることを特徴とする。
【００１２】
本発明に係る画像処理装置は、前記処理済画像における文字、図形等のオブジェクトの色を受け付ける色受付手段を備えていることを特徴とする。  
【００１３】
本発明に係る画像処理装置は、前記対象領域に対して処理を施す処理手段と、該処理手段が変倍処理を行う場合、変倍率を受け付ける倍率受付手段とを備えていることを特徴とする。
【００１４】
本発明に係る画像形成装置は、前述の本発明のいずれか一つに記載の画像処理装置と、該画像処理装置による合成画像に基づき、記録シートに画像形成を行う画像形成部とを備えていることを特徴とする。
【００１５】
本発明に係るコンピュータプログラムは、コンピュータに、画像データに対して処理を実行させるコンピュータプログラムにおいて、コンピュータに、前記画像データに基づく画像における処理を実行すべき対象領域を受付させる手順と、コンピュータに、前記処理後の前記対象領域に係る処理済画像を位置変更して、前記対象領域以外の非対象領域に係る非対象画像と合成させる手順と、コンピュータに、前記合成の場合、前記非対象画像及び前記処理済画像が重なる重複領域を抽出させる手順と、コンピュータに、抽出された重複領域に対して、前記処理済画像及び前記非対象画像の画像濃度データを所定割合で反映する処理を実行させる手順とを実行させることを特徴とする。
【００１６】
本発明にあっては、前記領域受付手段が、前記画像データに基づく画像における処理すべき対象領域を受け付け、該対象領域に対して前記処理が行われる。前記合成手段は、前記処理後における前記対象領域に係る処理済画像の位置を変更して、前記対象領域以外の非対象領域に係る非対象画像との合成を行う。合成された合成画像は、例えば、表示部に表示される。
【００１７】
本発明にあっては、前記表示部には前記画像データに基づく画像が表示され、ユーザが前記画像を確認しながら、例えば、前記表示部に表示されるカーソルを用いて前記対象領域を指定することにより、前記領域受付手段は前記対象領域を受け付ける。
【００１８】
本発明にあっては、前記合成手段による合成の場合、前記位置受付手段が前記処理済画像を配置すべき位置を受け付け、前記位置受付手段が受け付けた位置に応じて、前記合成においての前記処理済画像の位置が変更される。
【００１９】
本発明にあっては、前記合成手段による合成の場合、前記抽出手段が前記非対象画像及び前記処理済画像が重なる重複領域を抽出し、抽出された重複領域に対して、前記反映処理手段が前記処理済画像及び前記非対象画像の画像濃度データを所定割合で反映する処理を行う。
【００２０】
本発明にあっては、前記割合受付手段が前記割合を受け付け、前記割合受付手段が受け付けた割合に基づいて、前記反映処理手段が、前記重複領域に対する前記処理済画像及び前記非対象画像の画像濃度データの反映を行う。
【００２１】
本発明にあっては、前記色受付手段が前記処理済画像におけるオブジェクトの色を受け付け、前記色受付手段が受け付けた色に応じて、前記処理済画像におけるオブジェクトの色が変更される。
【００２２】
本発明にあっては、前記対象領域に対する変倍処理を行う場合、前記倍率受付手段が変倍率を受け付け、前記処理手段は前記倍率受付手段が受け付けた変倍率に応じて、前記対象領域に対する変倍処理を施す。
【００２３】
本発明にあっては、前記画像処理装置が、前記対象領域を受け付け、該対象領域に対して所定処理を行う。前記所定処理後における前記処理済画像は前記非対象画像と合成され、前記画像形成部は合成画像に基づいて記録シートに画像形成を行う。
【発明の効果】
【００２４】
本発明によれば、画像データに基づく画像において設定された前記対象領域に対してのみ所定処理を行うことが出来ると共に、前記所定処理後においても、前記非対象領域に係る画像データが消失することないので、前記処理済画像及び非対象画像を共に前記表示部へ表示し、又は記録用紙へ形成することが可能であり、例えば、前記処理済画像を非対象画像と対比することが出来る。
【発明を実施するための最良の形態】
【００２５】
以下、図面に基づいて本発明に係る画像処理装置及び画像形成装置を具体的に説明する。前記説明は、本発明に係る画像処理装置及び画像形成装置として、コピー機能、印刷機能、ファクシミリ機能等を有するデジタル複合機を例に挙げて行う。
【００２６】
（実施の形態１）
図１は実施の形態１に係る画像処理装置及び画像形成装置の要部構成を示すブロック図である。本実施の形態に係る画像処理装置及び画像形成装置は、ＣＰＵ１０を備えており、ＣＰＵ１０にはバスＮを介して操作部１１、表示部１２、画像読取部１３、プログラムメモリ部１４、バッファメモリ部１５、画像処理部１６、画像形成部１７、及び給紙部１８等のハードウェアが接続されている。プログラムメモリ部１４にはこれらのハードウェアを制御する制御プログラムが格納されており、ＣＰＵ１０が必要に応じてこの制御プログラムをバッファメモリ部１５上にロードして実行することにより、装置全体の動作を制御するように構成されている。
【００２７】
操作部１１は、コピー機能を実行するためのコピーキー、印刷機能を実行するためのプリンタキー、ファックスミリ機能を実行するためのファックスキー、スタートキー、テンキー、電源キー等のハードキーが設けられている。
【００２８】
表示部１２は、例えば、ＬＣＤ（液晶ディスプレイ）、ＰＤ（プラズマディスプレイ）等で構成され、操作部１１を介して入力された指示に係る画像、画像読取部１３によって読み取った画像データに基づく原稿の画像、例えば色の反転によって表示される原稿における後述の対象領域、該対象領域を設定するための矩形のカーソル、所定処理後における前記対象領域に係る画像（以下、処理済画像と言う）、該処理済画像と前記対象領域以外の非対象領域に係る画像（以下、非対象画像と言う）とが合成された合成画像等が表示される。
【００２９】
また、表示部１２は、液晶ディスプレイ上に配設したタッチパネルを備えており、該タッチパネルには複数のソフトキー（以下、キーと略する）が設けられている。例えば、前記コピーキーが押圧されてコピー機能が選択された場合は、前記タッチパネルには、原稿の一部領域に対してのみ前記所定処理を行うときにその対象となる領域の設定のための「領域設定」キー、前記対象領域に対して変倍の処理を行うための「変倍」キー、前記変倍の処理を行う場合に変倍率を設定するための「倍率設定」キー、記録用紙の大きさを設定するための「用紙サイズ」キー、前記合成における前記処理済画像の配置すべき位置を設定するための「位置設定」キー、前記対象領域の設定における前記カーソルの移動又は大きさ変更のための上・下・左・右方向に係る各「移動」キー、前記合成における前記非対象画像及び前記処理済画像が重なる領域（以下、重複領域と言う）に対して反映される前記処理済画像及び前記非対象画像の画像濃度データの割合を設定するための「反映率」キー、前記処理済画像のオブジェクトの色を設定するための「色設定」キー、操作を確定するための「エンター」キー等が設けられている。
【００３０】
つまり、表示部１１のタッチパネルは、原稿の画像における対象領域の指定を受付ける手段（領域受付手段）、対象領域に対する変倍率の設定を受付ける手段（倍率受付手段）、前記合成において前記処理済画像の位置の設定を受け付ける手段（位置受付手段）、前記重複領域に対する前記処理済画像及び前記非対象画像の画像濃度データの反映割合の設定を受け付ける手段（割合受付手段）、前記処理済画像のオブジェクトの色の設定を受け付ける手段（色受付手段）として機能する。
【００３１】
以下、前記対象領域の設定操作について説明する。図２は前記対象領域の設定操作について説明するための説明図である。図２（ａ）は処理すべき原稿の模式図であり、図２（ｂ）は画像読取部１３によって読み取った画像データに基づいて表示部１２に表示された原稿の画像であり、図２（ｃ）は前記対象領域の設定操作後における原稿の画像である。
【００３２】
表示部１２に表示された原稿の画像には、アルファベットの「Ａ」〜「Ｚ」までの文字（画像）が５行に亘って表示されている。本発明に係る画像処理装置及び画像形成装置のユーザは、前記タッチパネルのソフトキーを操作することによってカーソル５の位置又は大きさを調整し、前記対象領域を設定することが出来る。例えば、ユーザは、タッチパネルの「領域設定」キーを操作することにより、カーソル５が表示部１２に表示され（例えば点滅する）、何れかの「移動」キーを操作することにより、カーソル５を該当方向へ移動させることができる。また、カーソル５は、デフォルトとして前記原稿の画像の最上左に表示され（図２（ｂ））、前記コピーキーと共に下方向に係る「移動」キーを操作する場合は、又は前記コピーキーと共に右方向に係る「移動」キーを操作する場合は、カーソル５は夫々下方向又は右方向に大きさが拡大される。一方、前記コピーキーと共に上方向に係る「移動」キーを操作する場合は、又は前記コピーキーと共に左方向に係る「移動」キーを操作する場合は、カーソル５は夫々上方向又は左方向に大きさが縮小される。このようにして、カーソル５の位置又は大きさの調整を行った後、「エンター」キーを操作することによって対象領域の設定を確定する。カーソル５によって画定される領域は色の反転によって表示され、該領域が対象領域７に該当することになる。例えば、ユーザは、タッチパネルの「領域設定」キー及び何れかの「移動」キーを操作することにより、図２（ｃ）に示すように、「Ａ」及び「Ｂ」の文字部分を対象領域７として設定することが出来る。
【００３３】
対象領域７の設定については、上述した例に限るものでない。例えば、液晶ディスプレイ（表示部１２）に表示される原稿の画像を確認しながら、特定のマーカーを用いて前記対象領域を取り囲む等のマークをし、マークされた領域が認識できるように構成することにより、前記対象領域を設定するようにしても良い。
【００３４】
このように、対象領域７の設定が行われた後、ユーザは前記所定処理後の前記合成における前記処理済画像の配置すべき位置の設定を行う。以下、前記処理済画像の位置の設定操作について説明する。図３は前記処理済画像の位置の設定操作について説明するための説明図である。前記処理済画像の位置の設定操作においては、まず、ユーザは前記タッチパネルの「位置設定」キーを操作する。「位置設定」キーの操作によって、図３（ａ）に示すように、原稿の画像の中央に十字型の印６が点滅表示（図中点線で表示）される。ユーザは何れかの「移動」キーを操作することによって印６を適宜位置に移動させ、「エンター」キーを操作して位置を確定する。その後、対象領域７に対して所定処理が施され、確定された位置に前記所定処理後における前記処理済画像の中央が合わされて位置するように表示される。例えば、前記処理済画像の位置を前記原稿の画像における右下側（図３（ａ）中、実線で表示）に設定し、対象領域７に対して２倍拡大の処理を施した場合、該処理前に比べて２倍拡大された画像（処理済画像）が、上記のように、前記原稿の画像における右下側に位置するように表示される（図３（ｂ））。この場合、前記処理済画像のオブジェクトは、前記「色設定」キーの操作によって受け付けた色に処理され、表示される。（図３（ｂ）中、ハッチングにて表示する）従って、前記処理済画像をオブジェクトが少ない位置に表示すること等ができる。なお、上述の説明では、前記処理済画像の位置の設定において、「位置設定」キーの操作によって印６を表示させ、印６を移動させて設定を行う場合を例として説明したが、これに限るものでない。例えば、「位置設定」キーの操作によってカーソル５がアクティブ化されて移動可能な状態になり、カーソル５を移動させるように構成しても良い。
【００３５】
画像読取部１３は、ＣＣＤ、原稿台等を備え、該原稿台にセットされた原稿に係る画像データをデジタルデータとして読み取る。読み取った画像データはバッファメモリ部１５に記憶され、前記画像データに基づき原稿の画像が表示部１２に表示される。
【００３６】
プログラムメモリ部１４は、例えば、ＲＯＭ、ＥＥＰＲＯＭ、ハードディスク等によって構成され、ＣＰＵ１０が各ハードウェアを制御するためのメインルーチン制御プログラム、画像を形成するための画像形成プログラム、画像読取部１３により読み取られた画像データをバッファメモリ部１５に記憶するための記憶制御プログラム、及びバスＮを制御するためのバス制御プログラム等が記憶されている。
【００３７】
バッファメモリ部１５は、例えば、ＲＡＭ、ＥＥＰＲＯＭ等によって構成され、ＣＰＵ１０による制御において一時的に発生するデータ、入力された指示情報、画像形成条件、所定処理後における処理済画像に係るデータ、画像読取部１３によって読み取られた原稿の画像データ、前記処理済画像及び前記非対象画像が合成された合成画像に係るデータ等を一時的に記憶する。
【００３８】
画像処理部１６は、バッファメモリ部１５から対象領域の画像データ、及び対象領域以外の非対象領域の画像データをビットマップ形式として読み出し、対象領域７の画像データを、例えば操作部１１を介して受け付けた設定に係る変倍率に応じて変倍処理を行い、変倍処理された画像データを、操作部１１を介して受け付けた設定に係るオブジェクトの色に応じて更に処理を行う。このように処理された画像データに対して、画像処理部１６は、操作部１１を介して受け付けた設定に係る前記処理済画像の配置すべき位置及び反映率に基づいて、前記処理済画像及び前記非対象画像の合成処理を行う。
【００３９】
また、画像処理部１６は、輝度ムラに対して、均一な明るさの画像になるように補正するシェーディング補正、入力画像データに係る画素を文字領域、写真領域等に分離する領域分離処理、入力階調補正、不要吸収成分を含む色彩（シアン、マゼンダ、イエロー）の分光特性に基づいた色濁りを取り除く色補正、該色補正後のシアン、マゼンダ、イエローの各信号から黒信号を生成し、元のシアン、マゼンダ、イエローの各信号から前記黒信号を差し引いて新しいシアン、マゼンダ、イエローの各信号とする黒生成下色除去、画像のノイズ処理、画像の平滑化、濃淡の差の強調等を行う空間フィルタ処理等の処理を行う。
【００４０】
画像形成部１７は、感光体ドラム、感光体ドラムを帯電させる帯電器、帯電した感光体ドラム上に潜像を書き込むレーザ書込装置、感光体ドラム上の潜像を現像する現像器、感光体ドラム上に残留している現像剤を除去して感光体ドラムを再生するクリーニングユニット、感光体ドラム表面のトナーを記録用紙に転写する転写装置等からなる電子写真方式のプロセス部を備えており、該プロセス部に給紙部１８によって記録用紙の搬送が行われ、該記録用紙に画像形成が行われる。
【００４１】
給紙部１８は、複数種の記録用紙を収容する給紙カセット、該給紙カセットに収容された記録用紙を一枚ずつ取り込むピックアップローラ等を備え、前記給紙カセットに収容された記録用紙を１枚ずつ取り込んで画像形成部１７へ搬送する。
【００４２】
図４及び図５は本発明に係る画像処理装置及び画像形成装置におけるＣＰＵ１０の処理手順を示すフローチャートである。以下、説明の便宜上、前記デジタル複合機を用いて原稿のコピージョブ（等倍又は変倍）が行われる場合を例として説明する。
【００４３】
原稿のコピーの際、ユーザは原稿台に原稿を載置した後、操作部１１のコピーキーを押圧してコピー機能を選択する。その後、操作部１１のスタートキー又は前記タッチパネルの「変倍」キーを操作する。つまり、ユーザが等倍コピーを希望する場合は、原稿を原稿台に載置した後、直ちにスタートキーを操作するが、変倍コピーを希望する場合には、原稿を原稿台に載置した後、「変倍」キーを操作して変倍率等の設定を行う。
【００４４】
ユーザが操作部１１のコピーキーを押圧することにより、ＣＰＵ１０がコピー機能の選択指示を受け付けた場合（Ｓ１０１）、コピージョブの開始の指示を受け付けたか否かを判定する（Ｓ１０２）。該判定は操作部１１のスタートキーの操作を監視することによって行われる。ＣＰＵ１０がコピージョブの開始の指示を受け付けていないと判定した場合（Ｓ１０２：ＮＯ）、変倍コピーの指示を受け付けたか否かを判定する（Ｓ１０３）。該判定は前記タッチパネルの「変倍」キーの操作を監視することによって行われる。
【００４５】
ＣＰＵ１０は変倍コピーの指示を受け付けていないと判定した場合（Ｓ１０３：ＮＯ）、Ｓ１０２に戻り、コピージョブの開始の指示を受け付けたか否かを再び判定する。一方、ＣＰＵ１０が変倍コピーの指示を受け付けたと判定した場合（Ｓ１０３：ＹＥＳ）、画像読取部１３に指示し、原稿の読取を行う（Ｓ１０４）。画像読取部１３によって得られた画像データは、バッファメモリ部１５に記憶される。
【００４６】
次いでＣＰＵ１０はバッファメモリ部１５に記憶されている画像データに基づく原稿の画像を表示部１２に表示する（Ｓ１０５）（図２（ｂ）参照）。また、ユーザがタッチパネルの「領域設定」キーを操作することによってカーソル５が表示部１２に表示され、何れかの「移動」キー、又はコピーキーを操作することにより、カーソル５の位置又は大きさを調整し、対象領域７の設定を行う。この場合、ＣＰＵ１０は前記「領域設定」キー、「移動」キー及びコピーキーの操作を監視することによって、対象領域７の設定を受け付ける（Ｓ１０６）。
【００４７】
その後、ユーザはタッチパネル「倍率設定」キーを操作した後、操作部１１のテンキーを操作することにより、倍率の入力を行う。ＣＰＵ１０は前記「倍率設定」キー及びテンキーの操作を監視することによって、変倍率の設定を受け付ける（Ｓ１０７）。
【００４８】
次いでユーザは、前記合成における前記処理済画像の配置すべき位置の設定を行う。まず、ユーザは前記タッチパネルの「位置設定」キーを操作し、十字型の印６を表示部１２に点滅表示させ、何れかの「移動」キーを操作することによって印６を適宜位置に移動させる。ＣＰＵ１０は前記「位置設定」キー及び「移動」キーの操作を監視することによって、前記処理済画像の配置すべき位置の設定を受け付ける（Ｓ１０８）。
【００４９】
また、ユーザはタッチパネル「反映率」キーを操作した後、操作部１１のテンキーを操作することにより、前記反映率の入力を行う。ＣＰＵ１０は前記「反映率」キー及びテンキーの操作を監視することによって、反映率の設定を受け付ける（Ｓ１０９）。
【００５０】
なお、ユーザはタッチパネル「色設定」キーを操作した後、操作部１１のテンキーを操作することにより、前記処理済画像のオブジェクトの色の入力を行う。ユーザがタッチパネルの「色設定」キーを操作した場合、表示部１２には、複数の色彩名が番号に関連づけられ列挙され、前記テンキーを操作し何れかの番号を選択することによって色の選択が出来る。この場合、ＣＰＵ１０は前記「色設定」キー及びテンキーの操作を監視することによって、前記処理済画像のオブジェクトの色の設定を受け付ける（Ｓ１１０）。
【００５１】
次いでＣＰＵ１０は、Ｓ１０６にて受け付けた対象領域の設定に基づいて、画像読取部１３によって得られ、バッファメモリ部１５に記憶されている原稿の画像データから、対象領域７に係る画像データの抽出を行い（Ｓ１１１）、該画像データに対して変倍処理を行う（Ｓ１１２）。該変倍処理は、Ｓ１０７にて受け付けた変倍率の設定に基づいて行われる。このような処理が行われた画像データに基づき、前記処理済画像が得られる。その後、Ｓ１１０にて受け付けたオブジェクトの色の設定に基づいて、前記処理済画像のオブジェクトの色を処理する。
【００５２】
次いでＣＰＵ１０は、前記原稿の画像から、対象領域７以外の非対象領域に係るデータの抽出を行う（Ｓ１１３）。該抽出はバッファメモリ部１５に記憶されている前記原稿の画像データ、及びＳ１０６にて受け付けた対象領域の設定に基づいて行われる。
【００５３】
ＣＰＵ１０は、前記合成における前記非対象画像及び前記処理済画像が重なる重複領域に係る画像データの抽出を行い（Ｓ１１４）、前記重複領域に対する画像濃度データ反映処理を行う（Ｓ１１５）。つまり、ＣＰＵ１０はＳ１０８にて受け付けた位置の設定に基づいて前記処理済画像を配置して、前記非対象画像との合成を行う場合、前記非対象画像及び前記処理済画像が重なる重複領域に係る画像データを抽出する。その後、Ｓ１０９にて受け付けた反映率の設定に基づく割合で、前記重複領域に対する前記処理済画像及び前記非対象画像の画像濃度データの反映処理を行う。例えば、前記重複領域の画素において、処理済画像における１００％濃度のマゼンタと、非対象画像における１００％濃度のシアン色とが反映率７０％で合成される場合、処理済画像における７０％濃度（１００×７０／１００）のマゼンタと、非対象画像における３０％濃度（１００×３０／１００）のシアン色が前記重複領域の画素の合成色となる。
【００５４】
このような画像濃度データの反映処理の結果に基づき、ＣＰＵ１０は前記処理済画像に係る画像データ及び前記非対象画像に係る画像データを合成する処理を行い（Ｓ１１６）、合成された画像データはバッファメモリ部１５に記憶される。その後、バッファメモリ部１５に記憶された画像データに基づく合成画像が表示部１２に表示される（Ｓ１１７）。この場合、前記処理済画像は、何れの処理も行われていない、対象領域７以外の非対象領域に係る非対象画像と一部が重複されて表示されるが、前記非対象画像の画像濃度データの反映割合を大きくする一方、前記処理済画像の画像濃度データの反映割合を少なくし、いわゆる半透明画面にすることにより、前記非対象画像及び前記処理済画像の双方を視認し、対比することが出来る。
【００５５】
表示部１２に表示された合成画像を確認したユーザは、操作部１１のスタートキーを押圧する。このようなユーザの操作によって、ＣＰＵ１０は記録用紙への前記合成画像の形成指示を受け付け、表示部１２に表示された合成画像に係る画像データに基づく画像形成を画像形成部１７に指示する。画像形成部１７はバッファメモリ部１５に記憶された合成画像に係る画像データに基づいて、記録用紙に画像形成を行う（Ｓ１１８）。
【００５６】
一方、Ｓ１０２にて、ＣＰＵ１０がコピージョブの開始の指示を受け付けたと判定した場合（Ｓ１０２：ＹＥＳ）、つまり、ユーザによって操作部１１のスタートキーが操作された場合、ＣＰＵ１０は画像読取部１３に指示し、原稿の読取を行う（Ｓ１１９）。画像読取部１３によって得られた原稿の画像データは、バッファメモリ部１５に記憶される。次いでＣＰＵ１０は画像形成部１７に指示し、バッファメモリ部１５に記憶された前記原稿の画像データに基づいて、記録用紙に画像形成を行う（Ｓ１２０）。
【００５７】
なお、実施の形態１においては、前記処理済画像の位置を変更して、前記非対象画像と合成することによって双方を表示する場合を例として説明したがこれに限るものでない。例えば、対象領域７を除く前記非対象画像のみを表示するように構成しても良い。
【００５８】
（実施の形態２）
図６は、実施の形態２に係る画像処理装置及び画像形成装置の要部構成を示すブロック図であり、図中、前記画像処理装置及び画像形成装置は点線にて示されている。
【００５９】
実施の形態２に係る画像処理装置及び画像形成装置は記憶媒体読取部１９を備えている。記憶媒体読取部１９は、後述する記憶媒体Ｍに記憶された各種データ及び本発明に係るコンピュータプログラムを読み取るための読取装置である。
【００６０】
記録媒体Ｍは、例えば、マスクＲＯＭ、ＥＰＲＯＭ、ＥＥＰＲＯＭ、フラッシュＲＯＭ等による半導体メモリ、ハードディスク等の磁気ディスク、ＣＤ−ＲＯＭ／ＭＯ／ＭＤ／ＤＶＤ等の光ディスクのディスク系、又はＩＣカード（メモリカードも含む）／光カード等のカード系等を含むものである。また、記録媒体Ｍは記憶媒体読取部１９に着脱分離可能であり、プログラム等データを担持するメディアである。
【００６１】
記録媒体Ｍに記憶されるコンピュータプログラムとしては、上述したような画像処理プログラム、メインルーチン制御プログラム、画像形成プログラム、記憶制御プログラム、及びバス制御プログラムの他、本発明に係るコンピュータプログラムが含まれる。例えば、記録媒体Ｍには、画像データに基づく画像における処理を実行すべき対象領域の設定を受付させ、前記処理後の前記対象領域に係る処理済画像を位置変更して、前記対象領域以外の非対象領域に係る非対象画像と合成させ、前記合成の場合、前記非対象画像及び前記処理済画像が重なる重複領域を抽出させ、抽出された重複領域に対して、前記処理済画像及び前記非対象画像の画像濃度データを所定割合で反映する処理を実行させるプログラムが格納されている。
【００６２】
記録媒体Ｍは記憶媒体読取部１９に挿入され、プログラムメモリ部１４に上述したプログラムをインストールする。かかるプログラムはバッファメモリ部１５にロードして実行される。これにより、上述のような本発明の画像処理装置及び画像形成装置として機能する。
【００６３】
本実施の形態２は以上の如き構成としており、その他の構成及び作用は実施の形態１と同様であるので、対応する部分には同一の参照番号を付してその詳細な説明を省略する。
【図面の簡単な説明】
【００６４】
【図１】本発明の実施の形態１に係る画像処理装置及び画像形成装置の要部構成を示すブロック図である。
【図２】本発明における対象領域の設定操作について説明するための説明図である。
【図３】本発明における処理済画像の位置の設定操作について説明するための説明図である。
【図４】本発明に係る画像処理装置及び画像形成装置におけるＣＰＵの処理手順を示すフローチャートである。
【図５】本発明に係る画像処理装置及び画像形成装置におけるＣＰＵの処理手順を示すフローチャートである。
【図６】本発明の実施の形態２に係る画像処理装置及び画像形成装置の要部構成を示すブロック図である。
【符号の説明】
【００６５】
７  対象領域
１０  ＣＰＵ
１１  操作部
１２  表示部
１３  画像読取部
１４  プログラムメモリ
１５  バッファメモリ
１６  画像処理部
１７  画像形成部
１８  給紙部
【図１】
2009278373.tif 000003
【図２】
2009278373.tif 000004
【図３】
2009278373.tif 000005
【図４】
2009278373.tif 000006
【図５】
2009278373.tif 000007
【図６】
2009278373.tif 000008